(57)【要約】【課題】箸と別に箸置きを改めて準備して提供する煩雑さを回避することができ、しかも、簡易な構造で加工コストが増加することを回避することができる箸を提供する。【解決手段】食物を把持する先端部１０ａと先端部１０ａと反対側の基端部１０ｂとを有する棒状の一対の箸片１０−１及び１０−２を備えた箸１０において、各箸片１０−１及び１０−２の基端部１０ｂと連続するとともに基端部１０ｂ側から分離可能に形成されて先端部１０ａが載置される載置面１２を有する箸置き１１を備える。【選択図】図１
0003177638.tif 000002
【実用新案登録請求の範囲】
【請求項１】
食物を把持する先端部と該先端部と反対側の基端部とを有する棒状の一対の箸片を備えた箸において、
該各箸片の基端部と連続するとともに該基端部側から分離可能に形成されて前記先端部が載置される載置面を有する箸置きを備えることを特徴とする箸。
【請求項２】
前記箸置きは、
棒状の前記各箸片の軸線方向と交差する方向に脆弱な溝部を前記各基端部との間に介して形成され、
該溝部において前記各箸片の軸線方向と交差する方向に前記箸置きが折曲されて該箸置きが前記基端部から分離することを特徴とする請求項１に記載の箸。
【請求項３】
前記箸置きに形成された載置面は、前記各箸片の前記基端部の外側面を嵌合可能な凹状に形成され、
前記載置面に前記各基端部が嵌合されて前記箸置きが前記各箸片に装着されることを特徴とする請求項１または２に記載の箸。
【請求項４】
前記箸置きは、
前記載置面、該載置面と対向する底部及び該底部と前記載置面との間で連続する側部を有して形成され、
該側部の一部に、前記各箸片の前記基端部が挿入される挿入孔が形成されたことを特徴とする請求項１に記載の箸。
【考案の詳細な説明】
【技術分野】
【０００１】
本考案は、食物を把持する先端部及びこの先端部と反対側の基端部を有する棒状の一対の箸片を備えた箸に関する。
【背景技術】
【０００２】
食事の際には、食物を把持する箸の先端部をテーブルの上に直接載置することは衛生上好ましくない場合もあることから、先端部を載置する箸置きを用いることが一般的に行われている。
【０００３】
ところが、食事を提供する側としては、箸と別に箸置きを改めて準備することに煩雑さを感じる場合もあり、そのような場合に、箸置きの提供を省略することもあると考えられる。箸置きの提供が省略された場合は、食事をする者は、箸置きの代わりに皿や鉢、あるいは丼の上に箸を載置することがある。
【０００４】
しかし、皿、鉢あるいは丼の上に箸を載置すると、皿、鉢、丼等は本来、箸を載置するものではないことから見栄えが悪くなることが懸念される。更に、皿、鉢、丼等の上に箸が載置されると、箸は不安定な状態で載置されることとなる。このような点を鑑みて、箸の先端部がテーブルに直接的に接触することを回避する技術が、種々提案されている。
【０００５】
特許文献１には、食物を把持する先端部側がテーブル等から離間した状態でテーブル等に載置される箸が開示されている。この特許文献１の箸は、食物を把持する側の先端部、箸を持つ際に指が接触する中間部及び箸をもつ際に手首側に位置する基端部を同軸上に有する棒状に形成された一対の箸片を備える。
【０００６】
先端部は、中間部に向かうに従って漸次拡径する円錐テーパ状に形成される。先端部から連続して形成されて箸を持つ際に指が接触する中間部は、先端部から漸次拡径した円柱状に形成される。基端部は、中間部から連続して形成されて中間部から離間するに従って漸次縮径するとともに外側面が多面形状となる略四角錘状に形成される。
【０００７】
かかる構成を有する特許文献１の箸をテーブル等の上に載置すると、略四角錘状の基端部が先端部に対して重いことから、中間部を支点として基端部がテーブル等に接触するとともに先端部がテーブル等から離間して、先端部がテーブル等に接触することが回避される
【先行技術文献】
【特許文献】
【０００８】
【特許文献１】実開平７−３６８４７号公報
【考案の概要】
【考案が解決しようとする課題】
【０００９】
特許文献１の箸によると、食物を把持する先端部がテーブル等に接触することが回避される。しかし、特許文献１の箸は、棒状に形成された箸の軸線に沿って、その断面形状が、円錐テーパ状から漸次円柱状に変形して更に略四角錘状へと複雑に変形して形成されていることから、加工工程も複雑化することが懸念される。加工工程の複雑化に伴い、加工精度の低下、更には加工コストの増加を招くことも懸念される。
【００１０】
ここで、本考案者の鋭意研究の結果によって、箸置きを伴って箸を提供することができれば、箸と別に箸置きを改めて準備して提供する煩雑さを回避することができて便宜的であることが確認された。
【００１１】
本考案は、上記課題に鑑みてなされたものであり、その目的は、箸と別に箸置きを改めて準備して提供する煩雑さを回避することができ、しかも、簡易な構造で加工コストが増加することを回避することができる箸を提供することにある。
【課題を解決するための手段】
【００１２】
上記課題を解決するための請求項１に記載の考案による箸は、食物を把持する先端部とこの先端部と反対側の基端部とを有する棒状の一対の箸片を備えた箸に係るものであり、この箸は、各箸片の基端部と連続するとともに基端部側から分離可能に形成されて先端部が載置される載置面を有する箸置きを備えることを特徴とする。
【００１３】
この構成によれば、箸には、各箸片の基端部と連続する箸置きが形成されていることから、箸置きを伴って一膳の箸を提供することができ、箸と別に箸置きを改めて準備して箸置きを提供する煩雑さを回避することができる。
【００１４】
従って、箸置きが形成された箸を提供することによって、食事提供者の負担が軽減され、かつ、食事をする者の箸がテーブル等に直接載置されることが回避されて衛生面の安全性が確保される。
【００１５】
しかも、箸は、箸置きが各箸片の基端部と連続して形成された簡易な構成を有することから、簡易に加工することができ、加工精度を高度に維持しつつ加工コストが増加することを回避することができる。
【００１６】
請求項２に記載の考案による箸は、請求項１に記載の箸において、箸置きは、棒状の各箸片の軸線方向と交差する方向に脆弱な溝部を各基端部との間に介在させて形成され、溝部において各箸片の軸線方向と交差する方向に箸置きが折曲されることによって、箸置きが基端部から分離することを特徴とする。
【００１７】
この構成によれば、箸置きを溝部において各箸片の軸線方向と交差する方向に折曲することによって、箸置きを各箸片の基端部から分離させることができる。従って、簡易な動作で箸置きを各箸片から容易に分離させることができ、食事をする者に過大な負担が課されることがない。
【００１８】
請求項３に記載の考案による箸は、請求項１または２に記載の箸において、箸置きに形成された載置面は、各箸片の基端部の外側面を嵌合可能な凹状に形成されており、この載置面に各基端部が嵌合されることによって箸置きが各箸片に装着されることを特徴とする。
【００１９】
この構成によれば、箸置きを、その載置面を介して各箸片に装着させることができることから、箸を繰り返して使用をする場合に、各箸片を束ねたうえで箸置きとともにまとめて収納することができる。従って、各箸片のうちの１本が紛失したり、箸置きが紛失したりすることを簡易な構成によって回避することができる。
【００２０】
請求項４に記載の考案による箸は、請求項１に記載の箸において、箸置きは、載置面、この載置面と対向する底部及び底部と載置面との間で連続する側部を有して形成され、側部の一部には、各箸片の基端部が挿入される挿入孔が形成されたことを特徴とする。
【００２１】
この構成によれば、箸には、各箸片の基端部が挿入される挿入孔を有する箸置きが形成されていることから、箸置きの挿入孔に各箸片の基端部が挿入された状態で箸置きを伴って一膳の箸を提供することができる。従って、箸と別に箸置きを改めて準備して箸置きを提供する煩雑さを回避することができる。
【００２２】
その結果、箸置きが形成された簡易な構成の箸を提供することによって、食事提供者の負担が軽減され、かつ、食事をする者の箸がテーブル等に直接載置されることが回避されて衛生面の安全性が確保される。
【００２３】
しかも、箸置きの挿入孔に各箸片の基端部を挿入することで、箸置きを各箸片に装着させることができることから、各箸片を束ねたうえで箸置きとともにまとめて収納することができる。従って、各箸片のうちの１本が紛失したり、箸置きが紛失したりすることを回避することができる。
【考案の効果】
【００２４】
この考案によると、各箸片と箸置きとを備えた一膳の箸を提供することができ、箸と別に箸置きを改めて準備して箸置きを提供する煩雑さを回避することができる。従って、食事提供者の負担が軽減され、かつ、食事をする者の箸がテーブル等に直接載置されることが回避されて衛生面の安全性が確保される。しかも、この箸は、簡易な構成によって製造することができることから、加工作業の負担軽減を図ることができるとともに、加工コストが増加することを回避することができる。
【図面の簡単な説明】
【００２５】
【図１】第１実施の形態における箸の概略を説明する図であり、（ａ）は構成説明図、（ｂ）は本実施の形態の箸の使用方法を説明する図である。
【図２】第２実施の形態における箸の概略を説明する図であり、（ａ）は構成説明図、（ｂ）及び（ｃ）は本実施の形態の箸の使用方法を説明する図である。
【図３】第３実施の形態における箸の概略を説明する図であり、（ａ）は構成説明図、（ｂ）は本実施の形態の箸の使用方法を説明する図である。
【考案を実施するための形態】
【００２６】
次に、図を参照して、本考案の実施の形態について説明する。
【００２７】
（第１実施の形態）
まず、本考案の第１実施の形態を、図１を参照して説明する。なお、本実施の形態において、箸が、木製の割り箸である場合を例として説明する。
【００２８】
図１は、本実施の形態における箸の概略を説明する図であり、（ａ）は構成説明図、（ｂ）は本実施の形態の箸の使用方法を説明する図である。図１（ａ）で示すように、箸１０は、切断部１３によって互いに分離して形成された一対の箸片１０−１及び１０−２、この一対の箸片１０−１及び１０−２と連続するとともに各箸片１０−１及び１０−２から分離可能に形成された箸置き１１を主要構成として備える。
【００２９】
一対の箸片１０−１及び１０−２は、食物を把持する先端部１０ａ、及びこの先端部１０ａと反対側、すなわち箸１０を持つ際に手首側に位置する基端部１０ｂを同軸上に有する棒状に形成される。この棒状に形成された各箸片１０−１及び１０−２は、その軸線Ｃ１及びＣ２と交差する断面の形状が略矩形に形成され、先端部１０ａから基端部１０ｂに向かうに従って略矩形の断面積が漸次増大するように形成されている。
【００３０】
箸置き１１は、各箸片１０−１及び１０−２の基端部１０ｂ側において、各箸片１０−１及び１０−２の軸線Ｃ１及びＣ２と交差する方向に脆弱な溝部１４を各基端部１０ｂとの間に介して基端部１０ｂから連続して形成される。溝部１４は、箸１０の厚みが最薄肉となる溝底１４ａを備え、各箸片１０−１及び１０−２を互いに分離する切断部１３が、この溝底１４ａまで切り込まれて形成されている。
【００３１】
箸置き１１には、各箸片１０−１及び１０−２の先端部１０ａが載置される載置面１２が形成されている。この載置面１２は、各箸片１０−１及び１０−２の軸線Ｃ１及びＣ２に沿う方向において凹状に湾曲して形成される。なお本実施の形態では、載置面１２は凹状に形成されているが、何ら加工を施さない平坦面であってもよい。
【００３２】
上記構成を有する箸１０を使用する際には、溝部１４の溝底１４ａにおいて、箸置き１１を、各箸片１０−１及び１０―２の軸線Ｃ１及びＣ２方向と交差する方向に折曲する。これにより、箸置き１１が各箸片１０−１及び１０―２の基端部１０ｂと切断されて、箸置き１１が各箸片１０−１及び１０−２から分離する。
【００３３】
箸置き１１が各箸片１０−１及び１０−２から分離すると、各箸片１０−１及び１０−２を互いに分離する切断部１３が溝底１４ａまで切り込まれて形成されていることから、箸片１０−１と１０−２とが互いに分離して一膳の箸として使用可能となる。すなわち、箸置き１１を溝部１４において折曲して各箸片１０−１及び１０−２から分離させさえすれば、箸片１０−１と１０−２とが互いに分離することとなる。
【００３４】
図１（ｂ）で示すように、各箸片１０−１及び１０−２から分離した箸置き１１は、各箸片１０−１及び１０−２の先端部１０ａが載置面１２に載置される箸置きとして使用することが可能となる。
【００３５】
このように、箸１０には、各箸片１０−１及び１０−２の基端部１０ｂと連続する箸置き１１が形成されていることから、箸置き１１を伴って一膳の箸を提供することができ、箸と別に箸置きを改めて準備したうえで箸置きを提供する煩雑さを回避することができる。
【００３６】
従って、箸置き１１が形成された簡易な構成の箸１０を提供することによって、食事提供者の負担が軽減され、かつ、食事をする者の箸がテーブル等に直接載置されることが回避されて衛生面の安全性が確保される。
【００３７】
しかも、本実施の形態では、箸置き１１は、木製の割り箸に溝部１４を形成する、すなわち、既製の割り箸を加工することによって簡易かつ安価に構成することができる。
【００３８】
更に、箸置き１１には、各箸片１０−１及び１０−２の先端部１０ａが載置される凹状に湾曲した載置面１２が形成されていることから、箸置き１１に各箸片１０−１及び１０−２の先端部１０ａを安定して載置することができる。
【００３９】
（第２実施の形態）
次に、本考案の第２実施の形態を、図２を参照して説明する。なお、本実施の形態において、第１実施の形態と同様に、箸は、木製の割り箸である場合を例として説明する。
【００４０】
図２は、本実施の形態における箸の概略を説明する図であり、（ａ）は構成説明図、（ｂ）及び（ｃ）は本実施の形態の箸の使用方法を説明する図である。
【００４１】
なお、本実施の形態では、箸置き１１における載置面１２の形状が第１実施の形態の載置面１２と異なっており、その他の部分は第１実施の形態と同様であることから、主に異なる部分を中心に説明して、その他の部分の説明を省略する。
【００４２】
図２（ａ）で示すように、本実施の形態の箸置き１１には、各箸片１０−１及び１０−２の先端部１０ａが載置される載置面１２が形成されている。この載置面１２は、各箸片１０−１及び１０−２の軸線Ｃ１及びＣ２に沿う方向において凹状のカギ形に形成される。すなわち、載置面１２は、水平方向に延在する底部１２ａ、この底部１２ａの両側縁から底部１２ａと直交する方向に延在する両側部１２ｂを有して形成される。
【００４３】
この載置面１２は、その底部１２ａを介在させた両側部１２ｂの互いの離間距離が、各箸片１０−１及び１０−２の先端部１０ａの幅よりもやや長く形成されている。一方、底部１２ａを介在させた両側部１２ｂの互いの離間距離は、各箸片１０−１及び１０−２の基端部１０ｂの幅とほぼ同じに形成されている。
【００４４】
図２（ｂ）で示すように、各箸片１０−１及び１０−２から分離した箸置き１１は、各箸片１０−１及び１０−２の先端部１０ａが載置面１２に載置される箸置きとして使用することが可能となる。
【００４５】
各箸片１０−１及び１０−２の先端部１０ａが載置面１２に載置された状態では、両側部１２ｂの互いの離間距離が各箸片１０−１及び１０−２の先端部１０ａの幅よりもやや長く形成されていることから、各箸片１０−１及び１０−２の先端部１０ａは、その幅方向において載置面１２の両側部１２ｂに当接することなく、両側部１２ｂとの間に若干の間隙を有して載置される。
【００４６】
一方、図２（ｃ）で示すように、各箸片１０−１及び１０−２から分離した箸置き１１は、両側部１２ｂの互いの離間距離が各箸片１０−１及び１０−２の基端部１０ｂの幅とほぼ同じに形成されていることから、各箸片１０−１及び１０−２の基端部１０ｂを、その幅方向において載置面１２に嵌合させて、箸置き１１を各箸片１０−１及び１０−２に装着させることが可能となる。
【００４７】
このように、箸置き１１を、その載置面１２を介して各箸片１０−１及び１０−２に装着させることができることから、割り箸としての箸１０を一度の使用で廃棄せずに繰り返して使用する場合に、各箸片１０−１及び１０−２を束ねたうえで箸置き１１とともにまとめて収納することができる。従って、各箸片１０−１及び１０−２のうちの１本が紛失したり、箸置き１１が紛失したりすることを回避することができる。
【００４８】
なお、本実施の形態では、箸１０が割り箸である場合を例として説明したが、例えば、木製の塗り箸やプラスチック製の箸であってもよい。この場合は、箸置き１１は、各箸片１０−１及び１０−２の基端部１０ｂから予め分離されて形成されている。換言すると、箸置き１１は、その載置面１２に各箸片１０−１及び１０−２の基端部１０ｂが嵌合されることによって、各箸片１０−１及び１０−２の基端部１０ｂと連続して設けられてこの基端部１０ｂから分離可能に形成されている。
【００４９】
（第３実施の形態）
次に、本考案の第３実施の形態を、図３を参照して説明する。なお、本実施の形態において、箸は、プラスチック製の箸である場合を例として説明する。
【００５０】
図３は、本実施の形態における箸の概略を説明する図であり、（ａ）は構成説明図、（ｂ）は本実施の形態の箸の使用方法を説明する図である。
【００５１】
図３（ａ）で示すように、箸２０は、一対の箸片２０−１及び２０−２、この一対の箸片２０−１及び２０−２と連続するとともに各箸片２０−１及び２０−２から分離可能に形成された箸置き２１を主要構成として備える。
【００５２】
一対の箸片２０−１及び２０−２は、食物を把持する先端部２０ａ及び先端部２０ａと反対側、すなわち箸２０を持つ際に手首側に位置する基端部２０ｂを同軸上に有する棒状に形成される。
【００５３】
この棒状に形成された各箸片２０−１及び２０−２は、先端部２０ａが、基端部２０ｂ側に向かうに従って漸次拡径する円錐テーパ状に形成され、基端部２０ｂは、先端部２０ａから離間するに従って漸次縮径する円錐テーパ状に形成される。
【００５４】
箸置き２１は、各箸片２０−１及び２０−２の基端部２０ｂから予め分離されて形成されている。換言すると、箸置き２１は、各箸片２０−１及び２０−２の基端部２０ｂが挿入孔２５に挿入されることによって、各箸片２０−１及び２０−２の基端部２０ｂと連続して設けられてこの基端部２０ｂから分離可能に形成されている。
【００５５】
この箸置き２１について具体的に説明すると、箸置き２１は、各箸片２０−１及び２０−２の先端部２０ａが載置される載置面２２を備え、載置面２２と対向する底部２３及びこの底部２３と載置面２２との間で連続する側部２４を有する略立方体状に形成される。
【００５６】
載置面２２は、箸置き２１が各箸片２０−１及び２０−２の基端部２０ｂ側に装着された状態において、各箸片２０−１及び２０−２の軸線Ｃ１及びＣ２と交差する方向において凹状に湾曲して形成される。なお、本実施の形態では、載置面２２は凹状に湾曲形成されているが、何ら加工を施さない平坦面であってもよい。
【００５７】
側部２４の一部、本実施の形態では、載置面２２が各箸片２０−１及び２０−２の軸線Ｃ１及びＣ２と交差する方向において凹状に湾曲するように配置された際の側部２４に、各箸片２０−１及び２０−２の基端部２０ｂが挿入される挿入孔２５が穿孔されている。
【００５８】
上記構成を有する箸２０を使用する際には、まず、箸置き２１の挿入孔２５に基端部２０ｂ側が挿入されている各箸片２０−１及び２０−２を抜き取って、各箸片２０−１及び２０−２と箸置き２１とを分離する。これにより、図３（ｂ）で示すように、各箸片２０−１及び２０−２から分離した箸置き２１は、各箸片２０−１及び２０−２の先端部２０ａが載置面２２に載置される箸置きとして使用することが可能となる。
【００５９】
このように、箸２０には、各箸片２０−１及び２０−２の基端部２０ｂと連続する箸置き２１が形成されていることから、箸置き２１を伴って一膳の箸を提供することができ、箸と別に箸置きを改めて準備したうえで箸置きを提供する煩雑さを回避することができる。
【００６０】
従って、箸置き２１が形成された簡易な構成の箸２０を提供することによって、食事提供者の負担が軽減され、かつ、食事をする者の箸がテーブル等に直接載置されることが回避されて衛生面の安全性が確保される。
【００６１】
更に、箸置き２１には、各箸片２０−１及び２０−２の先端部２０ａが載置される凹状に湾曲した載置面２２が形成されていることから、箸置き２１に各箸片２０−１及び２０−２の先端部２０ａを安定して載置することができる。
【００６２】
しかも、箸置き２１の挿入孔２５に各箸片２０−１及び２０−２の基端部２０ｂを挿入することで、箸置き２１を各箸片２０−１及び２０−２に装着させることができることから、各箸片２０−１及び２０−２を束ねたうえで箸置き２１とともにまとめて収納することができる。従って、各箸片２０−１及び２０−２のうちの１本が紛失したり、箸置き２１が紛失したりすることを回避することができる。
【００６３】
なお、本実施の形態では、箸２０がプラスチック製の箸である場合を例として説明したが、例えば、木製の塗り箸であってもよい。
【符号の説明】
【００６４】
１０、２０    箸
１０ａ、２０ａ    先端部
１０ｂ、２０ｂ    基端部
１０−１、１０−２、２０−１、２０−２    一対の箸片
１１、２１    箸置き
１２、２２    載置面
１３    切断部
１４    溝部
１４ａ    溝底
２３    底部
２４    側部
２５    挿入孔
【図１】
0003177638.tif 000003
【図２】
0003177638.tif 000004
【図３】
0003177638.tif 000005